(57)【要約】  部屋の側壁の上部または天井に設置される空気調和機であって、筺体と、送風機（３３）とを備える。筺体の高さをｈ［ｍｍ］とし、筺体の横幅をＷ［ｍｍ］とすると、Ｗ≧４×ｈの関係が成立する。送風機（３３）は、水平方向において互いに並んで配置された第１送風部（３３Ａ）と第２送風部（３３Ｂ）とを含む。第１送風部（３３Ａ）は、駆動モーター（３４Ａ）および第１送風ファンユニットを有し、第２送風部（３３Ｂ）は、駆動モーター（３４Ｂ）および第２送風ファンユニットを有する。ファンを安定して回転させることで、振動および騒音を効果的に抑制可能となる。
2019016982.tif 000002
【特許請求の範囲】
【請求項１】
部屋の側壁の上部または天井に設置される空気調和機であって、
前記天井に面するように配置される上面と、床面側に位置する下面と、前記側壁側に配置される背面と、前記背面とは反対側に位置する前面と、を有し、吸込口が形成されると共に、前記前面側に吹出口が形成された筺体と、
前記筺体の内部に配置された送風機と、
前記送風機の前方または前方上方に配置された熱交換器と、を備え、
前記筺体の高さをｈ［ｍｍ］とし、前記筺体の横幅をＷ［ｍｍ］とすると、Ｗ≧４×ｈの関係が成立しており、
前記送風機は、
第１駆動モーターと、前記第１駆動モーターに連結された第１送風ファンユニットとを有する第１送風部と、
第２駆動モーターと、前記第２駆動モーターに連結された第２送風ファンユニットとを有する第２送風部と、を含み、
前記第１送風部と前記第２送風部とは、水平方向において互いに並んで配置されており、
前記第１送風部と前記第２送風部との少なくとも一方が駆動されることにより、前記吸込口から前記筺体の内部に空気が取りこまれ、空気は前記熱交換器を通過することで調和空気となり前記吹出口を通して外部に吹き出される、
空気調和機。
【請求項２】
前記筺体の水平方向における中央寄りの位置に、制御部が配置されており、
前記制御部は、前記第１送風部および前記第２送風部の動作を制御するための制御機器を内部に格納しており、
前記第１送風部および前記第２送風部は、水平方向において前記制御部を挟んで互いに反対側の位置に設けられ、
前記第１駆動モーターは、水平方向において前記第１送風ファンユニットと前記制御部との間に配置され、
前記第２駆動モーターは、水平方向において前記第２送風ファンユニットと前記制御部との間に配置されている、
請求項１に記載の空気調和機。
【請求項３】
空気清浄フィルターをさらに備え、
前記空気清浄フィルターは、ＨＥＰＡフィルターから構成され、前記吸込口を前記筺体の内側から塞ぐように配置されている、
請求項１または２に記載の空気調和機。
【請求項４】
前記第１送風ファンユニットおよび／または前記第２送風ファンユニットは、回転軸を介して同軸状となるように水平方向に並んで配置された複数の多翼遠心ファンを含んでいる、
請求項１から３のいずれか１項に記載の空気調和機。
【発明の詳細な説明】
【技術分野】
【０００１】
本明細書は、部屋の側壁の上部または天井に設置される空気調和機に関する。本出願は、２０１７年７月２０日に出願した日本特許出願である特願２０１７−１４０９９８号に基づく優先権を主張する。当該日本特許出願に記載された全ての記載内容は、参照によって本明細書に援用される。
【背景技術】
【０００２】
下記特許文献１〜８は、空気調和機（いわゆるエアコン）に関する発明を開示している。空気調和機は一般的に、駆動モーターがファンを回転させることによって気流を発生させる。【０００３】
下記特許文献９は、ファンを駆動モーターに取り付けるための取付角度に関する発明を開示している。この取付角度を最適化することにより、ファンユニット全体の振動を低減させることができると同文献の中では述べられている。【０００４】
下記特許文献１０は、ファンのシャフト（回転軸）の支持構造に関する発明を開示している。シャフトの端部に特定の支持構造を採用することにより、シャフトと軸受とが相互に接触して異音が発生することを抑制可能になると同文献の中では述べられている。
【先行技術文献】
【特許文献】
【０００５】
【特許文献１】特許第３１４１８６７号公報
【特許文献２】特開２０１５−１６９３８９号公報
【特許文献３】特開２０１６−０９９０９０号公報
【特許文献４】特開２０１６−１８３７９４号公報
【特許文献５】特許第４９３２９１６号公報
【特許文献６】特開２０１２−０６３１３３号公報
【特許文献７】特許第４６０４５３６号公報
【特許文献８】特開２００５−３１５５３８号公報
【特許文献９】特開２０１６−１１４００９号公報
【特許文献１０】特開２０１３−１４２５０２号公報
【発明の概要】
【発明が解決しようとする課題】
【０００６】
空気調和機の筺体内に設けられているファンが安定して回転することができない場合、振動および騒音が発生しやすくなる。筺体の高さに対して筺体の横幅が４倍以上であるような空気調和機を考えた場合、その空気調和機の構造上、ファンを安定して回転させることは容易ではなく、ファンの回転に起因した振動および騒音が発生しやすい。【０００７】
空気調和機の空気浄化能力を高めるために、高性能のフィルターを設置する場合がある。高性能のフィルターは圧損を招きやすいため、風量を得るためにはファンを高い回転数で回転させる必要がある。高い回転数で回転するファンは、振動および騒音の発生源になりやすい。筺体の高さに対して筺体の横幅が４倍以上であるような空気調和機において、低振動や低騒音を実現することは容易ではなく、そのような空気調和機において低振動、低騒音および高い空気浄化能力を実現することもこれまでは困難であった。【０００８】
本明細書は、ファンの安定した回転を実現することにより、振動および騒音が発生することを効果的に抑制可能な構成を備えた空気調和機を開示することを目的とする。
【課題を解決するための手段】
【０００９】
本発明に基づく空気調和機は、部屋の側壁の上部または天井に設置される空気調和機であって、上記天井に面するように配置される上面と、床面側に位置する下面と、上記側壁側に配置される背面と、上記背面とは反対側に位置する前面と、を有し、吸込口が形成されると共に、上記前面側に吹出口が形成された筺体と、上記筺体の内部に配置された送風機と、上記送風機の前方または前方上方に配置された熱交換器と、を備え、上記筺体の高さをｈ［ｍｍ］とし、上記筺体の横幅をＷ［ｍｍ］とすると、Ｗ≧４×ｈの関係が成立しており、上記送風機は、第１駆動モーターと、上記第１駆動モーターに連結された第１送風ファンユニットとを有する第１送風部と、第２駆動モーターと、上記第２駆動モーターに連結された第２送風ファンユニットとを有する第２送風部と、を含み、上記第１送風部と上記第２送風部とは、水平方向において互いに並んで配置されており、上記第１送風部と上記第２送風部との少なくとも一方が駆動されることにより、上記吸込口から上記筺体の内部に空気が取りこまれ、空気は上記熱交換器を通過することで調和空気となり上記吹出口を通して外部に吹き出される。【００１０】
上記空気調和機において好ましくは、上記筺体の水平方向における中央寄りの位置に、制御部が配置されており、上記制御部は、上記第１送風部および上記第２送風部の動作を制御するための制御機器を内部に格納しており、上記第１送風部および上記第２送風部は、水平方向において上記制御部を挟んで互いに反対側の位置に設けられ、上記第１駆動モーターは、水平方向において上記第１送風ファンユニットと上記制御部との間に配置され、上記第２駆動モーターは、水平方向において上記第２送風ファンユニットと上記制御部との間に配置されていてもよい。【００１１】
上記空気調和機は好ましくは、空気清浄フィルターをさらに備え、上記空気清浄フィルターは、ＨＥＰＡフィルターから構成され、上記吸込口を上記筺体の内側から塞ぐように配置されていてもよい。【００１２】
上記空気調和機において好ましくは、上記第１送風ファンユニットおよび／または上記第２送風ファンユニットは、回転軸を介して同軸状となるように水平方向に並んで配置された複数の多翼遠心ファンを含んでいてもよい。
【発明の効果】
【００１３】
上記の空気調和機によれば、ファンの安定した回転を実現することにより、振動および騒音が発生することを効果的に抑制することができる。
【図面の簡単な説明】
【００１４】
【図１】実施の形態における空気調和機１００が部屋１０の中に設置されている様子を示す斜視図である。
【図２】実施の形態における空気調和機１００を示す斜視図である。
【図３】図２中のＩＩＩ−ＩＩＩ線に沿った矢視断面図である。
【図４】図２中のＩＶ−ＩＶ線に沿った矢視断面図である。
【図５】実施の形態における空気調和機１００に備えられる送風機３３を示す斜視図である。
【図６】実施の形態における空気調和機１００に備えられる送風機３３に備えられる複数の多翼遠心ファン３５のうちの１つを示す斜視図である。
【図７】実施の形態における空気調和機１００に備えられる送風機３３および熱交換器３８を模式的に示す平面図である。
【図８】実施の形態における空気調和機１００が冷房運転または送風運転の状態を形成している際の様子を示す斜視図である。
【図９】実施の形態における空気調和機１００が冷房運転または送風運転の状態を形成している際の様子を示す側面図である。
【図１０】図３に対応しており、実施の形態における空気調和機１００が冷房運転または送風運転の状態を形成している際の様子を示す断面図である。
【図１１】実施の形態における空気調和機１００によって部屋１０の中で冷房運転または送風運転が行なわれている際の様子を示す斜視図である。
【図１２】実施の形態における空気調和機１００が暖房運転の状態を形成している際の様子を示す斜視図である。
【図１３】実施の形態における空気調和機１００が暖房運転の状態を形成している際の様子を示す側面図である。
【図１４】図３に対応しており、実施の形態における空気調和機１００が暖房運転の状態を形成している際の様子を示す断面図である。
【図１５】実施の形態における空気調和機１００によって部屋１０の中で暖房運転が行なわれている際の様子を示す斜視図である。
【図１６】実施の形態６における空気調和機に備えられる送風機の一部を示す斜視図である。
【図１７】実施の形態７における空気調和機に備えられる送風機を示す平面図である。
【図１８】実施の形態７における空気調和機に備えられる送風機の一部（駆動モーター３４Ａ、多翼遠心ファン３５およびケーシング３６（３６ａ，３６ｂ））を示す正面図である。
【図１９】実施の形態７における空気調和機に備えられる送風機の一部（駆動モーター３４Ａ、多翼遠心ファン３５およびケーシング３６）の正面および上面側の様子を示す斜視図である。
【図２０】実施の形態７における空気調和機に備えられる送風機の一部（駆動モーター３４Ａ、多翼遠心ファン３５およびケーシング３６）の背面および上面側の様子を示す第１斜視図である。
【図２１】実施の形態７における空気調和機に備えられる送風機の一部（駆動モーター３４Ａ、多翼遠心ファン３５およびケーシング３６）の背面および上面側の様子を示す第２斜視図である。
【図２２】実施の形態７における空気調和機に備えられる送風機および熱交換器３８を模式的に示す平面図である。
【図２３】実施の形態８における空気調和機１０１を示す斜視図である。
【図２４】図２３中のＸＸＩＶ−ＸＸＩＶに沿った矢視断面図である。
【図２５】実施の形態８における空気調和機１０１に備えられる送風機３３、熱交換器３８、および制御部３９を模式的に示す平面図である。
【図２６】実施の形態８に関する他の構成２を説明するための平面図である。
【図２７】実施の形態８に関する他の構成３を説明するための斜視図１である。
【図２８】実施の形態８に関する他の構成３を説明するための斜視図２である。
【図２９】実施の形態８に関する他の構成４を説明するための斜視図１である。
【図３０】実施の形態８に関する他の構成４を説明するための斜視図２である。
【図３１】実施の形態８に関する他の構成５を説明するための平面図である。
【図３２】実施の形態８に関する他の構成６を説明するための平面図である。
【発明を実施するための形態】
【００１５】
実施の形態について、以下、図面を参照しながら説明する。同一の部品および相当部品には同一の参照番号を付し、重複する説明は繰り返さない場合がある。
【００１６】
［実施の形態１］
図１〜図７を参照して、実施の形態における空気調和機１００の構成について説明する。空気調和機１００の動作については、図８〜図１５を参照して後述する。図１は、空気調和機１００が部屋１０の中に設置されている様子を示す斜視図である。図２は、空気調和機１００を示す斜視図である。図３は、図２中のＩＩＩ−ＩＩＩ線に沿った矢視断面図であり、図４は、図２中のＩＶ−ＩＶ線に沿った矢視断面図である。
【００１７】
図１および図２に示すように、空気調和機１００は、いわゆるエアコン（Air  Conditioner）として用いられる。本実施の形態の空気調和機１００は、図示しない金具などを利用して、筺体２０の背面２３（図３，図４）が側壁１２に固定される。このような固定構造に限られず、金具などを利用して筺体２０の上面２１が部屋１０の天井１１に固定されることで、空気調和機１００は天井１１に設置されてもよい。
【００１８】
図３，図４に示すように、空気調和機１００は、筺体２０、エアフィルター３１、空気清浄フィルター３２、送風機３３、熱交換器３８、および風向調整部４０を備える。
【００１９】
（筺体２０）
筺体２０は、部屋１０の天井１１に面するように配置される上面２１と、床面（図１１における床面１３を参照）側に位置する下面２２と、側壁１２（図１，図１１）側に配置される背面２３と、背面２３とは反対側（すなわち筺体２０の正面側）に位置する前面２４と、筺体２０の長手方向における一端側に配置される側壁２５と、筺体２０の長手方向における他端側に配置される側壁２６と、を有する。
【００２０】
筺体２０の上面２１は、略板状の形状を有しており、筺体２０の上面２１側は閉塞されている。筺体２０の下面２２は、上面２１の反対側に位置しており、下面２２には吸込口２２Ｈ（図３，図４）が形成されている。吸込口２２Ｈは、筺体２０の長手方向に沿うように、略水平な方向に延在している。
【００２１】
背面２３は、上面２１の後端部と下面２２の後端部との間を接続するように設けられ、空気調和機１００が側壁１２に設置された状態では、背面２３は鉛直方向に対して略平行となる。前面２４は、下面２２の前端部から略Ｌ字状に起立するように設けられている。前面２４の前端部２４Ｔ（図３，図４）と上面２１の前端部２１Ｆとの間には、軸支部４１Ｔ，４２Ｔ，４３Ｔおよび熱交換器３８などを配置するための空間が形成されている。
【００２２】
詳細は後述するが、軸支部４１Ｔ，４２Ｔ，４３Ｔは、いずれも棒状に延びる形状を有している。軸支部４１Ｔ，４２Ｔ，４３Ｔは、いずれも図３，図４の紙面に対して垂直な方向に延在しており、軸支部４１Ｔの両端部、軸支部４２Ｔの両端部、軸支部４３Ｔの両端部は、いずれも側壁２５および側壁２６によってそれぞれ固定されている。
【００２３】
前面２４の前端部２４Ｔと上面２１の前端部２１Ｆとの間に上記のような軸支部４１Ｔ，４２Ｔ，４３Ｔが配置されていることによって、前面２４の前端部２４Ｔと上面２１の前端部２１Ｆとの間の空間が区画され、筺体２０の前面側の空間（開口２７）には、前側上部開口２８と前側下部開口２９とが形成されている。
【００２４】
（エアフィルター３１および空気清浄フィルター３２）
図３，図４に示すように、エアフィルター３１および空気清浄フィルター３２は、筺体２０の内部に設けられる。エアフィルター３１は、吸込口２２Ｈの上方において吸込口２２Ｈを筺体２０の内側から塞ぐように配置されている。空気清浄フィルター３２は、エアフィルター３１の上方に配置されている。空気清浄フィルター３２は、たとえばＨＥＰＡフィルターから構成されている。
【００２５】
（送風機３３および熱交換器３８）
図３，図４に示すように、送風機３３は、空気清浄フィルター３２の上方に配置され、熱交換器３８は、送風機３３の前方に配置される。このような構成に限られず、熱交換器３８は、送風機３３の前方上方に配置されていてもよい。図５は、送風機３３を示す斜視図である。図３〜図５に示すように、送風機３３は、駆動モーター３４と、複数の多翼遠心ファン３５（３５ａ〜３５ｄ）と、回転軸３７とを含む。
【００２６】
複数の多翼遠心ファン３５（３５ａ〜３５ｄ）は、駆動モーター３４に回転軸３７を介して連結されており、駆動モーター３４と同軸状となるように、水平方向に並んで配置されている。本実施の形態では、複数の多翼遠心ファン３５（３５ａ〜３５ｄ）は、駆動モーター３４の軸方向における一方側および他方側の双方に、２つずつ設けられている。多翼遠心ファン３５（３５ａ，３５ｂ）および多翼遠心ファン３５（３５ｃ，３５ｄ）は、駆動モーター３４の位置を中心として左右対称となる位置に配置されている。換言すると、駆動モーター３４は、水平方向（筺体２０の長手方向）において筺体２０の中央寄りの位置に配置され、複数の多翼遠心ファン３５（３５ａ〜３５ｄ）は、水平方向において駆動モーター３４よりも外側の位置に配置されている。
【００２７】
図６は、送風機３３に備えられる複数の多翼遠心ファン３５のうちの１つを示す斜視図である。多翼遠心ファン３５は、環状に形成された枠体３５Ｐ，３５Ｑと、枠体３５Ｑの中央部に立設されたボス３５Ｒと、複数の羽根部３５Ｆとを有する。枠体３５Ｐ，３５Ｑは、軸方向において互いに離間した位置に配置されている。複数の羽根部３５Ｆの各々は、枠体３５Ｐ，３５Ｑによって両端が支持されている。多翼遠心ファン３５は、ボス３５Ｒを介して回転軸３７（図５）に連結される。多翼遠心ファン３５は、回転する複数の羽根部３５Ｆによって、内周側から取り込んだ空気を外周側に送り出す。多翼遠心ファン３５は、遠心力を利用することで、ファンの回転中心側から径方向外側に空気を送り出す。
【００２８】
図７は、送風機３３および熱交換器３８を模式的に示す平面図である。図３〜図５，図７に示すように、本実施の形態の送風機３３は、複数のケーシング３６（３６ａ〜３６ｄ）をさらに有している。複数のケーシング３６（３６ａ〜３６ｄ）の各々は、螺旋形状の流路３６Ｓ（図３，図４）を内側に形成しており、複数の多翼遠心ファン３５（３５ａ〜３５ｄ）の各々の周囲を覆うように配置される。
【００２９】
複数のケーシング３６（３６ａ〜３６ｄ）の各々は、側壁３６Ｗ、通孔３６Ｊ、および開口３６Ｈを有している。側壁３６Ｗおよび通孔３６Ｊは、多翼遠心ファン３５の回転軸（回転軸３７）の方向において、多翼遠心ファン３５を挟んで互いに反対側に位置している。開口３６Ｈは、ケーシング３６の前方側に形成されており、ケーシング３６は、開口３６Ｈが熱交換器３８側に向けて開口するように配置されている。
【００３０】
図７に示すように、複数の多翼遠心ファン３５（３５ａ〜３５ｄ）の各々が複数のケーシング３６（３６ａ〜３６ｄ）の各々によって上記のように囲われていることで、隣り合う２つの多翼遠心ファン３５の間には、ケーシング３６の側壁３６Ｗが位置している。多翼遠心ファン３５が回転することによって通孔３６Ｊから空気が取りこまれ、多翼遠心ファン３５の遠心力によって空気はケーシング３６の前方に向かって吹き出され、開口３６Ｈを通して熱交換器３８に吹き付けられる。熱交換器３８によって加熱あるいは冷却された空気は、後述する吹出口（図８，図９中に示す前方上方吹出部２８Ｈや、図１２，図１３中に示す前方下方吹出部２９Ｈ）を通して機外に吹き出されることとなる。
【００３１】
図３，図４を再び参照して、熱交換器３８は、上部熱交換部３８Ａ，下部熱交換部３８Ｂを含む。上部熱交換部３８Ａおよび下部熱交換部３８Ｂの各々は、複数の冷媒管（管材）と、これらを支持する複数のフィン（板材）とを有する。上部熱交換部３８Ａは全体として、上方から下方に向かうにつれて後方から前方に向かって延在するように傾斜して配置されており、下部熱交換部３８Ｂは全体として、下方から上方に向かうにつれて後方から前方に向かって延在するように傾斜して配置されている。
【００３２】
熱交換器３８は全体として略Ｖ字状の形状を呈しており、屈曲している部分が熱交換器３８のうちの最も前方側に位置するように筺体２０等によって固定されている。熱交換器３８は、送風機３３に前方側から対向するように配置され、送風機３３からの空気を加熱したり冷却したりすることができる。
【００３３】
（開口２７および風向調整部４０）
図３を参照して、上述のように、筺体２０の前面２４の前端部２４Ｔと筺体２０の上面２１の前端部２１Ｆとの間には、開口２７（空間）が形成されている。軸支部４２Ｔは、上面２１の前端部２１Ｆの下方近傍の位置に配置されており、軸支部４３Ｔは、前面２４の前端部２４Ｔのすぐ前方近傍（下方近傍）の位置に配置されている。軸支部４１Ｔは、軸支部４１Ｔと軸支部４３Ｔとの丁度間の位置に配置されている。
【００３４】
上記の開口２７（空間）内に軸支部４１Ｔ，４２Ｔ，４３Ｔが配置されていることによって、筺体２０の前面側には、前側上部開口２８と前側下部開口２９とが形成されている。前側上部開口２８は軸支部４１Ｔと軸支部４２Ｔとの間に形成され、前側下部開口２９は軸支部４１Ｔと軸支部４３Ｔとの間に形成されている。
【００３５】
風向調整部４０は、筺体２０の前面側に形成された開口２７（ここでは前側上部開口２８および前側下部開口２９）を前方側から覆うように配置されている。本実施の形態の風向調整部４０は、可動パネル４１、上部風向板４２および下部風向板４３を含む。可動パネル４１、上部風向板４２および下部風向板４３は、いずれも板状の形状を有しており、筺体２０の長手方向（水平方向）における長さ（横幅）と略同じ長さ分だけ延在している（図１，図２）。
【００３６】
可動パネル４１は、上端４１Ａおよび下端４１Ｂを有しており、可動パネル４１のうちの上端４１Ａと下端４１Ｂとの間の部分は、筺体２０の内部側（背面２３の側）に向かって凹むように、湾曲凹面状に形成されている。可動パネル４１の高さ（上端４１Ａと下端４１Ｂとの間の距離）は、筺体２０の高さｈよりも若干その高さ寸法が大きくなるように設定されている。可動パネル４１のうちの上端４１Ａと下端４１Ｂとの間の位置には、板状の形状を有する支持部４１Ｕが背面（背面２３）の側に向かって突出するように形成されている。
【００３７】
図３は、可動パネル４１の長手方向（水平方向）における略中央の位置の断面形状を示しており、図４は、可動パネル４１の長手方向における端部寄りの位置の断面形状を示している。支持部４１Ｕは、可動パネル４１の長手方向における略中央の位置に少なくとも設けられており（図３参照）、軸支部４１Ｔに連結されている。可動パネル４１は、筺体２０の上下方向（高さ方向）における略中央の位置で軸支部４１Ｔに軸支されることとなる。
【００３８】
可動パネル４１には、このような位置に限られず、複数の支持部４１Ｕが可動パネル４１の長手方向において間隔を空けて並ぶように設けられていてもよい。可動パネル４１は、１つまたは複数の軸支部４１Ｔを介して、矢印ＡＲ１および矢印ＡＲ２に示す方向に揺動可能に軸支されている。
【００３９】
上部風向板４２は、可動パネル４１の高さ寸法よりも短い高さ寸法を有する板状に形成されている。上部風向板４２は、軸支部４２Ｔに連結されており、軸支部４２Ｔを介して揺動可能に軸支されている。下部風向板４３も、可動パネル４１の高さ寸法よりも短い高さ寸法を有する板状に形成されている。下部風向板４３は、軸支部４３Ｔに連結されており、軸支部４３Ｔを介して揺動可能に軸支されている。
【００４０】
（停止状態）
図２〜図４には、空気調和機１００が運転停止の状態を形成している際の様子が図示されている。空気調和機１００が運転状態から運転停止の状態に遷移した時（すなわち運転停止時）には、可動パネル４１および上部風向板４２の各々が回動することによって、可動パネル４１の背面と上部風向板４２の先端４２Ａとが互いに近接する。可動パネル４１および上部風向板４２の各々は、このように回動することで上記の前側上部開口２８を閉塞する位置に配置される。同様に、可動パネル４１および下部風向板４３の各々が回動することによって、可動パネル４１の背面と下部風向板４３の先端４３Ａとが互いに近接する。可動パネル４１および下部風向板４３の各々は、このように回動することで上記の前側下部開口２９を閉塞する位置に配置される。
【００４１】
（冷房運転時または送風運転時）
図８および図９は、それぞれ、空気調和機１００が冷房運転または送風運転の状態を形成している際の様子を示す斜視図および側面図である。図１０は、図３に対応しており、空気調和機１００が冷房運転または送風運転の状態を形成している際の様子を示す断面図である。
【００４２】
図８〜図１０に示すように、空気調和機１００が冷房運転または送風運転の状態に遷移する際（すなわち冷房運転時または送風運転時）には、可動パネル４１および下部風向板４３が下方側に回動する。可動パネル４１の背面は、側壁２５の下部側の前端２５Ｂ（図９）と、これと同様の構成を有する側壁２６の下部側の前端（図示せず）と、下部風向板４３とに近接し、前側下部開口２９（図１０）が閉塞されることとなる。
【００４３】
一方で、可動パネル４１が下方側に回動するとともに上部風向板４２が上方側に回動することで、開口２７のうちの前側上部開口２８が開放される。可動パネル４１の上端４１Ａと上部風向板４２の先端４２Ａとの間（筺体２０の前方上方）に、前方上方吹出部２８Ｈが形成される。詳細は後述するが、この状態では、後述の前方下方吹出部２９Ｈ（図１３，図１４）は閉塞されている。この状態で、駆動モーター３４（図５）によって複数の多翼遠心ファン３５が回転する。
【００４４】
吸込口２２Ｈ、エアフィルター３１および空気清浄フィルター３２を通して筺体２０の内部に空気が取りこまれる。空気は、熱交換器３８および開口（前側上部開口２８）を通過し、風向調整部４０（ここでは可動パネル４１および上部風向板４２）によって風向きを調整された状態で、風向調整部４０の上部側に形成されている前方上方吹出部２８Ｈを通して機外に吹き出される（図９に示す矢印ＤＲ１０）。
【００４５】
図１１に示すように、前方上方吹出部２８Ｈから吹き出された空気は、天井１１に沿って進行した後、空気調和機１００に対向している側壁１４〜１６に沿って下降移動する。空気はさらに、床面１３に沿って空気調和機１００の方に戻るように進行する。空気調和機１００の下面２２に設けられた吸込口２２Ｈに向かって、空気は側壁１２に沿って上昇する。冷房運転時には、このような空気の流れにより、部屋１０の全体が冷やされることとなる。空気調和機１００においては、このような循環気流を部屋１０の中に形成することができ、効率のよい冷房効果や送風効果を得ることができる。
【００４６】
（暖房運転時）
図１２および図１３は、それぞれ、空気調和機１００が暖房運転の状態を形成している際の様子を示す斜視図および側面図である。図１４は、図３に対応しており、空気調和機１００が暖房運転の状態を形成している際の様子を示す断面図である。
【００４７】
図１２〜図１４に示すように、空気調和機１００が暖房運転の状態に遷移する際（すなわち暖房運転時）には、可動パネル４１および上部風向板４２が上方側に回動する。可動パネル４１の背面は、側壁２５の上部側の前端２５Ａ（図１３）と、これと同様の構成を有する側壁２６の上部側の前端（図示せず）と、上部風向板４２とに近接し、前側上部開口２８（図１４）が閉塞されることとなる。
【００４８】
一方で、可動パネル４１が上方側に回動するとともに下部風向板４３が下方側に回動することで、開口２７のうちの前側下部開口２９が開放される。可動パネル４１の下端４１Ｂと下部風向板４３の先端４３Ａとの間（筺体２０の前方下方）に、前方下方吹出部２９Ｈが形成される。この状態では、上述の前方上方吹出部２８Ｈ（図９，図１０）は閉塞されている。この状態で、駆動モーター３４（図５）によって複数の多翼遠心ファン３５が回転する。
【００４９】
吸込口２２Ｈ、エアフィルター３１および空気清浄フィルター３２を通して筺体２０の内部に空気が取りこまれる。空気は、熱交換器３８および開口（前側下部開口２９）を通過し、風向調整部４０（ここでは可動パネル４１および下部風向板４３）によって風向きを調整された状態で、風向調整部４０の下部側に形成されている前方下方吹出部２９Ｈを通して機外に吹き出される（図１３に示す矢印ＤＲ２０）。
【００５０】
図１５に示すように、前方下方吹出部２９Ｈから吹き出された空気は、側壁１２に沿って下降移動した後、床面１３に沿って進行する。空気はさらに、側壁１４〜１６に沿って上昇移動する。このような空気の流れにより、部屋１０の全体が暖められることとなる。空気調和機１００においては、このような気流を部屋１０の中に形成することができ、効率のよい暖房効果を得ることができる。
【００５１】
（作用および効果）
空気調和機１００によれば、吸込口２２Ｈが筺体２０の下面２２に形成されており、吸込口２２Ｈから取りこまれた空気はエアフィルター３１および空気清浄フィルター３２を通過する。したがって、空気清浄を常に行ないながら、より少ない消費エネルギーで空気調和を行なうことができる。また、送風機３３は、水平方向に並んで配置された複数の多翼遠心ファン３５によって送風を実現する。したがって、奥行き寸法を小さくすることで従来に比して小型化を図ることが可能であり、圧迫感が小さくなり、室内環境や美観向上などへの制限を軽減することができる。
【００５２】
また本実施の形態の空気調和機１００においては、可動パネル４１が、筺体２０の水平方向および（上下方向）高さ方向における略中央の位置で軸支部４１Ｔによって軸支されている。当該構成によれば、可動パネル４１によって上下両開き式の吹出口を筺体２０の前面側（前方上方および前方下方）に形成することができ、たとえば上下の軸を切り替えたりせずとも、あるいはロック機構などの複雑な構造を用いなくても、構造上に簡素な構成にて、上下両開き式の吹出口の開閉を実現することが可能となる。
【００５３】
［実施の形態２］
図３を参照して、好適な実施の形態として、多翼遠心ファン３５の直径をＤ［ｍｍ］とし、筺体２０の高さをｈ［ｍｍ］とすると、０．９×ｈ≦２×Ｄ≦１．１×ｈの関係が成立していることが好ましい。さらに好適な実施の形態としては、筺体２０の奥行きをＬ［ｍｍ］とした場合、０．９×Ｌ≦ｈ＋１／２×Ｄ≦１．１×Ｌの関係が成立していることが好ましい。
【００５４】
これらの構成によれば、筺体２０の奥行き寸法が大きくなることを抑制しながらも、空気清浄フィルター３２において生じる圧損に打ち勝つことができる送風を実現することが可能となり、省エネルギー性の向上とともに、圧迫感が小さくなり、室内環境や美観向上などへの制限をさらに軽減することができる。
【００５５】
［実施の形態３］
図４に示すように、運転停止時における可動パネル４１の背面から前側上部開口２８の上端部（ここでは軸支部４２Ｔの位置）までの最短距離をａとする。また、運転停止時における可動パネル４１の背面から前側下部開口２９の下端部（ここでは軸支部４３Ｔの位置）までの最短距離をｂとする。
【００５６】
図１０に示すように、冷房運転時における可動パネル４１からの背面から前側上部開口２８の上端部（ここでは軸支部４２Ｔの位置）までの最短距離をＬ１とする。図１４に示すように、暖房運転時における可動パネル４１の背面から前側下部開口２９の下端部（ここでは軸支部４３Ｔの位置）までの最短距離をＬ２とする。
【００５７】
以上のように各値を定義した場合には、次の式（１）および式（２）の関係が成立していることが好ましい。
０．９×（ａ＋ｂ）≦Ｌ１≦１．１×（ａ＋ｂ）  ・・・式（１）
０．９×（ａ＋ｂ）≦Ｌ２≦１．１×（ａ＋ｂ）  ・・・式（２）
上記の構成が採用されていれば、より簡素な構成にて上下両開き式の吹出口を筺体２０の前面側（前方上方および前方下方）に形成することができるとともに、空気調和機１００がエアコンとして用いられた場合の気流制御をより最適なものにすることができ、構造上にもより簡素な構成にて上下両開き式の吹出口の開閉を実現することが可能となる。
【００５８】
［実施の形態４］
図１０を参照して、好適な実施の形態として、上部風向板４２は、前側上部開口２８の上端部の位置において軸支されており、冷房運転時には、上部風向板４２は軸支されている部分（軸支部４２Ｔ）を中心として上方側に回動することで、前側上部開口２８を開放し、軸支部４２Ｔと上部風向板４２の先端４２Ａとを結ぶ直線が、水平方向ＡＰに対して前方下方２０°以下の角度θ１となるように配置されているとよい。当該構成によれば、冷房時により好適な気流を前方上方吹出部２８Ｈから送出することができる。たとえば天井に結露が生じてしまうといったこともより一層抑制可能となる。
【００５９】
［実施の形態５］
図１４を参照して、好適な実施の形態として、下部風向板４３は、前側下部開口２９の下端部の位置において軸支されており、暖房運転時には、下部風向板４３は軸支されている部分（軸支部４３Ｔ）を中心として下方側に回動することで、前側下部開口２９を開放し、軸支部４３Ｔと下部風向板４３の先端４３Ａとを結ぶ直線が、鉛直方向ＢＰに対して前方下方４５°以下の角度θ２となるように配置されているとよい。当該構成によれば、暖房時により好適な気流を前方下方吹出部２９Ｈから送出することができる。たとえば浮力によって暖気が床面に到達しにくいといったことを抑制することができ、効率のよい暖房効果を得ることが可能となる。
【００６０】
また、下部風向板４３は、暖房運転時には、前側下部開口２９を通して吹き出された空気が直ちに吸込口２２Ｈに吸込まれるショートサーキット現象は、下部風向板４３によって抑制されるように構成されるとよい。暖房時により好適な気流を送出することが可能となり、筺体２０の温度が不必要に上昇することも抑制され、省エネルギー性をより向上させることが可能となる。
【００６１】
［実施の形態６］
図１６は、上述の実施の形態における図５に対応しており、実施の形態６における空気調和機に備えられる送風機を示す斜視図である。上述の実施の形態（図５）においては、４つの多翼遠心ファン３５（３５ａ〜３５ｄ）が、１つの駆動モーター３４によって駆動される。
【００６２】
これに対して本実施の形態（図１６）においては、２つの多翼遠心ファン３５（３５ａ，３５ｂ）が、１つの駆動モーター３４Ａに回転軸３７Ａを介して連結され、駆動モーター３４Ａと同軸状となるように水平方向に並んで配置されている。２つの多翼遠心ファン３５（３５ａ，３５ｂ）が、１つの駆動モーター３４Ａによって駆動される。
【００６３】
同様に、２つの多翼遠心ファン３５（３５ｃ，３５ｄ）が、１つの駆動モーター３４Ｂに回転軸３７Ｂを介して連結され、駆動モーター３４Ｂと同軸状となるように水平方向に並んで配置されている。２つの多翼遠心ファン３５（３５ｃ，３５ｄ）が、１つの駆動モーター３４Ｂによって駆動される。
【００６４】
複数の多翼遠心ファン３５（３５ａ〜３５ｄ）および駆動モーター３４Ａ，３４Ｂは、同軸状となるように水平方向に並んで配置されている。駆動モーター３４Ａ，３４Ｂは、水平方向（筺体２０の長手方向）において筺体２０の中央寄りの位置に配置され、相互に隣り合っている。多翼遠心ファン３５（３５ａ，３５ｂ）は、水平方向において駆動モーター３４Ａよりも外側の位置に配置されており、多翼遠心ファン３５（３５ｃ，３５ｄ）は、水平方向において駆動モーター３４Ｂよりも外側の位置に配置されている。
【００６５】
以上のような構成が採用されている場合には、駆動モーター３４Ａによって駆動される多翼遠心ファン３５（３５ａ，３５ｂ）と、駆動モーター３４Ｂによって駆動される多翼遠心ファン３５（３５ｃ，３５ｄ）とについて、回転数、風量、吹き出し風向などを異ならせたり、温度や風速の異なる風を左右で吹き分けたりすることが容易に実現でき、使用者に対してよりきめ細かく空気調和された風を提供することが可能となる。
【００６６】
［実施の形態７］
図１７は、実施の形態７における空気調和機に備えられる送風機を示す平面図である。図１８は、実施の形態７における空気調和機に備えられる送風機の一部（駆動モーター３４Ａ、多翼遠心ファン３５およびケーシング３６（３６ａ，３６ｂ））を示す正面図である。本実施の形態は、送風機に備えられるケーシング３６の構成において、上述の他の実施の形態と相違している。
【００６７】
複数のケーシング３６（３６ａ〜３６ｄ）の各々が、螺旋形状の流路３６Ｓ（図３，図４）を内側に形成しており、複数の多翼遠心ファン３５（３５ａ〜３５ｄ）の各々の周囲を覆うように配置されているという点は、本実施の形態と上述の各実施の形態とで共通している（図１７参照）。また、複数のケーシング３６（３６ａ〜３６ｄ）の各々が、熱交換器３８側に向けて開口するように配置されているという点も、本実施の形態と上述の各実施の形態とで共通している（図２２参照）。
【００６８】
図１８〜図２２に示すように、一方で本実施の形態においては、ケーシング３６（３６ａ〜３６ｄ）の各々における熱交換器３８側に、枠部３６Ｆおよび複数のガイドフィン３６Ｔが設けられ、多翼遠心ファン３５の軸方向における一方側に通孔３６Ｙ（図２０）が設けられており、多翼遠心ファン３５の軸方向における他方側に通孔３６Ｊ（図２１）が設けられている。通孔３６Ｙおよび通孔３６Ｊは、多翼遠心ファン３５の回転軸の方向において、多翼遠心ファン３５を挟んで互いに反対側に位置している（図２２）。
【００６９】
枠部３６Ｆは、四角枠状に形成され、ケーシング３６の前面側において、フランジ状に外側に延出する形状を有している（図１８，図１９）。枠部３６Ｆの内周面の形状は、多翼遠心ファン３５の下流側（前面側）に形成されている開口３６Ｈの流路断面積が、上流側から下流側に向かうにつれて徐々に大きくなるように形成されている。
【００７０】
複数のガイドフィン３６Ｔは、多翼遠心ファン３５の回転軸（回転軸３７Ａ，３７Ｂ）に対して垂直な方向に沿って延びるように、枠部３６Ｆの内側で間隔を空けて並んで配置されている。本実施の形態では、計５枚のガイドフィン３６Ｔが、枠部３６Ｆの内側に配置されている。５枚のうちの中央に位置するガイドフィン３６Ｔは、平板状の形状を有している。
【００７１】
平板状のガイドフィン３６Ｔの両外側に位置する２枚のガイドフィン３６Ｔは、上流側から下流側に向かうにつれて外側に向かって湾曲するように形成されている。それらの両外側に位置する２枚のガイドフィン３６Ｔも、上流側から下流側に向かうにつれて外側に向かって湾曲するように形成されている。外側に配置されたガイドフィン３６Ｔは、それらの内側に配置されたガイドフィン３６Ｔに比べて、より急峻に外側に向けて湾曲するように形成されている。
【００７２】
図２２に示すように、以上のように構成される複数のガイドフィン３６Ｔは、複数の多翼遠心ファン３５（３５ａ〜３５ｄ）の各々と熱交換器３８との間に形成される送風経路を、多翼遠心ファン３５の回転軸（回転軸３７Ａ，３７Ｂ）に対して垂直な方向に分割する。当該構成によれば、熱交換器３８に対して長手方向においてより均一に送風することができ、より省エネルギー性の高い空気清浄フィルター３２を搭載した空気調和機とすることができる。
【００７３】
［実施の形態８］
図２３〜図２５を参照して、実施の形態８における空気調和機１０１について説明する。図２３は、空気調和機１０１を示す斜視図である。図２４は、図２３中のＸＸＩＶ−ＸＸＩＶに沿った矢視断面図である。説明上の便宜のため、図２４中には風向調整部４０（図１，図２，図２３等参照）は図示していない。図２５は、空気調和機１０１に備えられる送風機３３、熱交換器３８、および制御部３９を模式的に示す平面図である。本実施の形態８と上述の各実施の形態１〜７とは、以下の点において相違している。
【００７４】
（筺体２０）
図２３および図２４を参照して、本実施の形態８においては、空気調和機１０１の筺体２０が、天井（図１１における天井１１を参照）に面するように配置される上面２１と、床面（同図の床面１３を参照）側に位置する下面２２と、側壁（同図の側壁１２を参照）側に配置される背面２３（図２４）と、背面２３とは反対側に位置する前面２４（図２４）と、背面２３から前面２４に向かって右側に位置する側壁２６（図２３）と、背面２３から前面２４に向かって左側に位置する側壁２５（図２３）とを有している。
【００７５】
本実施の形態８においては、筺体２０の高さをｈ［ｍｍ］（図２４）とし、筺体２０の横幅をＷ［ｍｍ］（図２３参照）とすると、Ｗ≧４×ｈの関係が成立している。筺体２０の高さｈとは、筺体２０の上面２１を構成している部分のうちの鉛直方向における最も上方に位置する部分と、筺体２０の下面２２を構成している部分のうちの鉛直方向における最も下方に位置する部分との間の、鉛直方向における距離である。また、筺体２０の横幅Ｗとは、筺体２０の側壁２５を構成している部分のうちの水平方向における最も左側に位置する部分と、筺体２０の側壁２６を構成している部分のうちの水平方向における最も右側に位置する部分との間の、水平方向における距離である。
【００７６】
上述の各実施の形態１〜７においては、筺体２０の上面２１側は閉塞されており、筺体２０の下面２２に吸込口２２Ｈ（図３，図４）が形成されている。一方で本実施の形態９においては、図２３および図２４に示すように、筺体２０の上面２１側は閉塞されておらず、上面２１に吸込口２１Ｈが形成されている。吸込口２１Ｈは、上面２１のうちの背面２３寄りの部分に設けられている。筺体２０の下面２２にも吸込口２２Ｈ（図２４）が形成されている。また、上面２１の前端部２１Ｆのさらに前方の位置に、水平方向（左右方向）に延びる前面カバー２１Ｃが設けられている。
【００７７】
筺体２０の内部には、エアフィルター３１および空気清浄フィルター３２に加えて、エアフィルター３１Ａおよび空気清浄フィルター３２Ａがさらに設けられている。エアフィルター３１Ａは、上面２１側に設けられた吸込口２１Ｈの下方において吸込口２１Ｈを筺体２０の内側から塞ぐように配置されており、空気清浄フィルター３２Ａは、エアフィルター３１Ａを下方側から覆うように配置されている。空気清浄フィルター３２Ａも、たとえばＨＥＰＡフィルターから構成されている。
【００７８】
本実施の形態の空気調和機１０１においては、吸込口２２Ｈ（図２５）、エアフィルター３１（図２５）および空気清浄フィルター３２（図２５）を通して筺体２０の内部に空気が取りこまれるだけでなく、吸込口２１Ｈ、エアフィルター３１Ａおよび空気清浄フィルター３２Ａを通して筺体２０の内部に空気が取り込まれる。
【００７９】
空気はその後、熱交換器３８および開口２７（前側上部開口２８または前側下部開口２９）を通過し、風向調整部４０（図２３）によって風向きを調整された状態で、前面２４側に形成された吹出口（すなわち、図１０に示す前方上方吹出部２８Ｈまたは図１４に示す前方下方吹出部２９Ｈ）を通して機外に吹き出される。本実施の形態８の空気調和機１０１によれば、上述の各実施の形態１〜７における空気調和機に比べて風量を増大させることができる。上面２１側を閉塞せずに上面２１側に吸込口２１Ｈを設けるという技術的思想は、上述の各実施の形態１〜７で説明した思想に組み合わせて実施することも可能である。
【００８０】
（送風機３３）
図２５を参照して、本実施の形態８においては、筺体２０の内部に配置された送風機３３が、第１送風部３３Ａと第２送風部３３Ｂとを含んでいる。第１送風部３３Ａと第２送風部３３Ｂとは、水平方向（ここでは側壁２５と側壁２６とを結ぶ左右方向）において互いに並んで配置されている。
【００８１】
第１送風部３３Ａは、駆動モーター３４Ａ（第１駆動モーター）と、駆動モーター３４Ａに回転軸３７Ａを介して連結された２つの多翼遠心ファン３５（３５ａ，３５ｂ）とを有している。多翼遠心ファン３５（３５ａ，３５ｂ）は、第１送風ファンユニットを構成している。第１送風ファンユニットは、１つの多翼遠心ファン３５から構成されていてもよい。第１送風ファンユニットは、回転軸３７Ａを介して同軸状となるように水平方向に並んで配置された複数（３つ以上）の多翼遠心ファン３５を含んでいてもよい。
【００８２】
第２送風部３３Ｂは、駆動モーター３４Ｂ（第２駆動モーター）と、駆動モーター３４Ｂに回転軸３７Ｂを介して連結された２つの多翼遠心ファン３５（３５ｃ，３５ｄ）とを有している。多翼遠心ファン３５（３５ｃ，３５ｄ）は、第２送風ファンユニットを構成している。第２送風ファンユニットは、１つの多翼遠心ファン３５から構成されていてもよい。第２送風ファンユニットは、回転軸３７Ｂを介して同軸状となるように水平方向に並んで配置された複数（３つ以上）の多翼遠心ファン３５を含んでいてもよい。
【００８３】
第１送風部３３Ａを構成している各種要素の大きさ、形状、寸法および製品仕様等と、第２送風部３３Ｂを構成している各種要素の大きさ、形状、寸法および製品仕様等とを同一に設定するとよい。部品や機器の共通化により、製造費用などを低減することが可能となる。
【００８４】
（制御部３９）
筺体２０（図２３）の水平方向における中央寄りの位置に、制御部３９（図２５）が配置されている。制御部３９は、制御機器３９Ｃ（ＣＰＵ、ＲＡＭ、ＲＯＭ、および／またはマイコン等）を内部に格納している。制御機器３９Ｃにより、第１送風部３３Ａおよび第２送風部３３Ｂの動作（ファンの回転数など）が制御される。制御機器３９Ｃにより、熱交換器３８の動作（冷媒流量など）がさらに制御されてもよい。
【００８５】
制御部３９の制御により、第１送風部３３Ａと第２送風部３３Ｂとの少なくとも一方が駆動される。これにより、吸込口２１Ｈ，２２Ｈ（図２４）から筺体２０の内部に空気が取りこまれ、空気は熱交換器３８を通過することで調和空気となり吹出口（すなわち、図１０に示す前方上方吹出部２８Ｈまたは図１４に示す前方下方吹出部２９Ｈ）を通して外部に吹き出される。
【００８６】
（作用および効果）
いわゆる壁掛け型の空気調和機の大きさに関して、たとえば日本家屋の伝統的な特性、すなわち窓の横のスペースが半間（約９０ｃｍ）であることと、窓の上のスペースが尺５寸（約４５ｃｍ）であることとに鑑みると、たとえば、空気調和機の筺体の横幅は約８６ｃｍに設定され、その筺体の高さは約３０ｃｍに設定される。
【００８７】
近年、より大きな窓を壁に設けたいという要請が強くなってきている。すなわち、横幅が広く、かつ高さも高い、非常に大きな間口を有する窓が部屋に設けられる場合が増加してきている。これに伴い、空気調和機を設置するために利用可能なスペースが、窓の横において約３０ｃｍの幅になる場合も生じてきている。空気調和機を、窓の横ではなく窓の上に設置することが求められる場合も増えてきている。
【００８８】
窓の上側に設けられた高さ寸法の小さなスペースに空気調和機を設置する場合、空気を吸い込むための流路を確保するために、空気調和機の高さをたとえば２５ｃｍ未満に設定することが考えられる。所定の性能や省エネルギー性を確保するためには、空気調和機の筺体の横幅をたとえば１ｍよりも大きくするといったことが考えられるが、その場合、送風機の軸方向の長さを大幅に長くすることが必要となる。しかしながら、送風機の軸方向の長さを大幅に長くした場合には、わずかな製作誤差や据付誤差（芯ブレ）が振動および騒音の発生の原因となり得る。
【００８９】
すなわち、筺体の高さに対して筺体の横幅が４倍以上であるような空気調和機を考えた場合、その空気調和機の構造上、ファンを安定して回転させることは容易ではなく、ファンの回転に起因した振動および騒音が発生しやすい。これを防止するためには、たとえば送風機の回転数を低い値に設定するという対策が考えられるが、この対策では省エネルギー性を得ることが難しくなる。
【００９０】
空気調和機の空気浄化能力を高めるために、高性能のフィルターを設置する場合がある。高性能のフィルターは圧損を招きやすいため、風量を得るためにはファンを高い回転数で回転させる必要がある。高い回転数で回転するファンは、振動および騒音の発生源になりやすい。筺体の高さに対して筺体の横幅が４倍以上であるような空気調和機において、低振動や低騒音を実現することは容易ではない。
【００９１】
これに対して本実施の形態８における空気調和機１０１によれば、筺体２０の横幅Ｗ［ｍｍ］が筺体２０の高さｈ［ｍｍ］の４倍以上になるような横長の筺体２０であるにもかかわらず、送風機３３が、水平方向において互いに隣り合う第１送風部３３Ａおよび第２送風部３３Ｂを含んでおり、送風機３３の第１送風部３３Ａおよび第２送風部３３Ｂにそれぞれ備えられる回転軸３７Ａ，３７Ｂ（図２５）を比較的に短く構成することができ、多翼遠心ファン３５（３５ａ〜３５ｄ）を安定して回転させることが可能となっている。これにより、安定した送風を実現できるとともに、芯ブレによる振動を低減できるため、ファンの回転に起因した騒音を低減でき、また省エネルギー性を確保可能な空気調和機を実現することができる。
【００９２】
（実施の形態８に関する他の構成１）
第１送風ファンユニット（多翼遠心ファン３５ａ，３５ｂ）と第２送風ファンユニット（多翼遠心ファン３５ｃ，３５ｄ）とを、互いに異なる回転数で駆動してもよい。第１送風部３３Ａの側から吹き出される調和空気の風量および風速と第２送風部３３Ｂの側から吹き出される調和空気の風量および風速とを異ならせることが可能となる。たとえば、空気調和機のたとえば左側からは強風が吹き出され、右側からは弱風が吹き出されるといったように、空気調和機の吹出口から２種類の風量および風速を有する調和空気を吹き出すことができるといった効果を得ることが可能となる。
【００９３】
（実施の形態８に関する他の構成２）
図２６に示すように、第１送風部３３Ａに対向するように熱交換器３８Ｍ（第１熱交換器）を配置し、第２送風部３３Ｂに対向するように熱交換器３８Ｎ（第２熱交換器）を配置してもよい。たとえば、制御部３９の制御機器３９Ｃが冷媒流量調整装置（図示せず）を動作させることにより、熱交換器３８Ｍに流通する冷媒の流量と、熱交換器３８Ｎに流通する冷媒の流量とを互いに独立した値に調節してもよいし、これらを連動させるような形で流量を調節してもよい。第１送風部３３Ａと第２送風部３３Ｂとからそれぞれ吹き出される調和空気の風量と温度とを調整することにより、空気調和機のたとえば左側からは高温の温風が吹き出され、右側からは低温の温風が吹き出されるといったように、空気調和機の吹出口から２種類の温度を有する調和空気を吹き出すことができるといった効果を得ることが可能となる。熱交換器３８Ｍを構成している各種要素の大きさ、形状、寸法および製品仕様等と、熱交換器３８Ｎを構成している各種要素の大きさ、形状、寸法および製品仕様等とを同一に設定するとよい。部品や機器の共通化により、製造費用などを低減することが可能となる。
【００９４】
上述の他の構成１，２を概括すると、制御部３９の制御機器３９Ｃは、第１送風部３３Ａ、第２送風部３３Ｂ、熱交換器３８Ｍおよび熱交換器３８Ｎに対して、同一冷媒流量かつ同一回転数の指示を出してもよいし、同一冷媒流量かつ異なる回転数の指示を出してもよいし、異なる冷媒流量かつ同一回転数の指示を出してもよいし、異なる冷媒流量かつ異なる回転数の指示を出してもよい。
【００９５】
（実施の形態８に関する他の構成３）
図２７に示すように、筺体２０の前面２４に前方上方吹出部２８Ｈ１および前方上方吹出部２８Ｈ２を設けてもよい。この場合は、前方上方吹出部２８Ｈ１の内側に第１風向調整装置（ルーバー）を設けて、前方上方吹出部２８Ｈ２の内側に第２風向調整装置（ルーバー）を設けるとよい。第１風向調整装置は、第１送風部３３Ａ（図２６）および熱交換器３８Ｍ（図２６）によって生成された調和空気の風向を調整する。第２風向調整装置は、第２送風部３３Ｂ（図２６）および熱交換器３８Ｎ（図２６）によって生成された調和空気の風向を調整する。
【００９６】
図２７および図２８に示すように、たとえば、前方上方吹出部２８Ｈ１から吹き出される調和空気の風向きは（矢印ＤＲ１）、上下方向においては水平方向と同一に設定され、左右方向においては左向きに設定される。前方上方吹出部２８Ｈ２から吹き出される調和空気の風向きは（矢印ＤＲ２）、上下方向においては上向きに設定され、左右方向においては中央（正面）に設定される。このように構成することにより、空気調和機１０１の吹出口（ここでは前方上方吹出部２８Ｈ１および前方上方吹出部２８Ｈ２）から吹き出される２種類の調和空気の風向を、それぞれ別の方向へと設定することができる。
【００９７】
（実施の形態８に関する他の構成４）
図２９に示すように、筺体２０の前面２４に前方下方吹出部２９Ｈ１および前方下方吹出部２９Ｈ２を設けてもよい。この場合も、前方下方吹出部２９Ｈ１の内側に第１風向調整装置（ルーバー）を設けて、前方下方吹出部２９Ｈ２の内側に第２風向調整装置（ルーバー）を設けるとよい。第１風向調整装置は、第１送風部３３Ａ（図２６）および熱交換器３８Ｍ（図２６）によって生成された調和空気の風向を調整する。第２風向調整装置は、第２送風部３３Ｂ（図２６）および熱交換器３８Ｎ（図２６）によって生成された調和空気の風向を調整する。
【００９８】
図２９および図３０に示すように、たとえば、前方下方吹出部２９Ｈ１から吹き出される調和空気の風向きは（矢印ＤＲ１）、上下方向においては水平方向と同一に設定され、左右方向においては左向きに設定される。前方下方吹出部２９Ｈ２から吹き出される調和空気の風向きは（矢印ＤＲ２）、上下方向においては上向きに設定され、左右方向においては中央（正面）に設定される。このように構成することによっても、空気調和機１０１の吹出口（ここでは前方下方吹出部２９Ｈ１および前方下方吹出部２９Ｈ２）から吹き出される２種類の調和空気の風向を、それぞれ別の方向へと設定することができる。
【００９９】
（実施の形態８に関する他の構成５）
図３１に示すように、第１送風部３３Ａおよび第２送風部３３Ｂは、水平方向において制御部３９を挟んで互いに反対側の位置に設けられていてもよい。この場合、駆動モーター３４Ａ（第１駆動モーター）は、水平方向において多翼遠心ファン３５ａ，３５ｂ（第１送風ファンユニット）と制御部３９との間に配置されていてもよい。駆動モーター３４Ｂ（第２駆動モーター）は、水平方向において多翼遠心ファン３５ｃ，３５ｄ（第２送風ファンユニット）と制御部３９との間に配置されていてもよい。
【０１００】
この構成によると、第１送風部３３Ａおよび第２送風部３３Ｂの各々において発生する振動モードを制御部３９の位置にて分断でき、第１送風部３３Ａで発生する振動モードと第２送風部３３Ｂで発生する振動モードとの重ね合わせ現象により振動が増幅すること抑制でき、結果として空気調和機１０１から発生する振動を低減可能となる。加えて、上記構成によれば電気配線などの取り回しを簡素化することができる。
【０１０１】
（実施の形態８に関する他の構成６）
図３２に示すように、駆動モーター３４Ａおよび駆動モーター３４Ｂを互いに離間して配置するとともに、駆動モーター３４Ａ，３４Ｂの重力方向における下方の位置に、制御部３９を配置してもよい。この構成によっても、第１送風部３３Ａおよび第２送風部３３Ｂの各々において発生する振動モードを制御部３９の位置にて分断でき、第１送風部３３Ａで発生する振動モードと第２送風部３３Ｂで発生する振動モードとの重ね合わせ現象により振動が増幅すること抑制でき、結果として空気調和機１０１から発生する振動を低減可能となる。また、空気調和機１０１の下方、すなわち居住空間に伝播する可能性がある振動騒音を制御部３９の存在によって遮蔽できるため、結果として空気調和機１０１から発生する騒音を低減可能となる。
【０１０２】
（実施の形態８のさらに他の構成）
上述の実施の形態８および他の構成１〜６の中で述べた構成は、上述の実施の形態１〜７で述べた構成と組み合わせて実施することも可能であるし、上述の実施の形態１〜７で述べた構成とは独立して実施することも可能である。上述の実施の形態８の中で述べた構成を採用する場合には、たとえば、実施の形態１〜７で説明したような構成を備えた風向調整部は必須ではない。吸込口２２Ｈ（図２，３参照）は下面２２の側に形成されていなくてもよく、吸込口２２Ｈは、上面２１および／または側壁２５，２６の側に形成されていてもよい。吹出口としては、前方上方吹出部２８Ｈ（図９）および前方下方吹出部２９Ｈ（図１３）に示す構成に限られず、吹出口は、下面２２の側に形成されていてもよく、上面２１および／または側壁２５，２６の側に形成されていてもよい。
【０１０３】
側壁２５に吸込口を設ける場合には、側壁２５の吸込口を筺体２０の内側から覆うようにエアフィルターを配置し、そのエアフィルターの内側に空気清浄フィルターを配置するとよい。側壁２６に吸込口を設ける場合には、側壁２６の吸込口を筺体２０の内側から覆うようにエアフィルターを配置し、そのエアフィルターの内側に空気清浄フィルターを配置するとよい。
【０１０４】
エアフィルター３１については、吸込口２２Ｈの上方に配置されていなくてもよい。エアフィルター３１は、筺体２０の内部の側から吸込口２２Ｈを覆うように配置されていれば、たとえばエアフィルター３１は吸込口２２Ｈの下方や側方に配置されていても構わない。空気清浄フィルター３２についても同様に、エアフィルター３１の上方に配置されていなくてもよい。空気清浄フィルター３２は、筺体２０の内部の側からエアフィルター３１を覆うように配置されていれば、たとえば空気清浄フィルター３２はエアフィルター３１の下方や側方に配置されていても構わない。送風機３３は、筺体２０の内部に配置されていれば、空気清浄フィルター３２の上方に限られず、たとえば空気清浄フィルター３２の下方や側方に配置されていても構わない。
【０１０５】
以上、実施の形態について説明したが、上記の開示内容はすべての点で例示であって制限的なものではない。本発明の技術的範囲は請求の範囲によって示され、請求の範囲と均等の意味および範囲内でのすべての変更が含まれることが意図される。
【符号の説明】
【０１０６】
１０  部屋、１１  天井、１２，１４，１６，２５，２６，３６Ｗ  側壁、１３  床面、２０  筺体、２１  上面、２１Ｃ  前面カバー、２１Ｆ，２４Ｔ  前端部、２１Ｈ，２２Ｈ  吸込口、２２  下面、２３  背面、２４  前面、２５Ａ，２５Ｂ  前端、２７，３６Ｈ  開口、２８  前側上部開口、２８Ｈ，２８Ｈ１，２８Ｈ２  前方上方吹出部、２９  前側下部開口、２９Ｈ，２９Ｈ１，２９Ｈ２  前方下方吹出部、３１，３１Ａ  エアフィルター、３２，３２Ａ  空気清浄フィルター、３３  送風機、３３Ａ  第１送風部、３３Ｂ  第２送風部、３４，３４Ａ，３４Ｂ  駆動モーター、３５，３５ａ，３５ｂ，３５ｃ，３５ｄ  多翼遠心ファン、３５Ｆ  羽根部、３５Ｐ，３５Ｑ  枠体、３５Ｒ  ボス、３６  ケーシング、３６Ｆ  枠部、３６Ｊ，３６Ｙ  通孔、３６Ｓ  流路、３６Ｔ  ガイドフィン、３７，３７Ａ，３７Ｂ  回転軸、３８，３８Ｍ，３８Ｎ  熱交換器、３８Ａ  上部熱交換部、３８Ｂ  下部熱交換部、３９  制御部、３９Ｃ  制御機器、４０  風向調整部、４１  可動パネル、４１Ａ  上端、４１Ｂ  下端、４１Ｔ，４２Ｔ，４３Ｔ  軸支部、４１Ｕ  支持部、４２  上部風向板、４２Ａ，４３Ａ  先端、４３  下部風向板、１００，１０１  空気調和機、Ｗ  横幅、ｈ  高さ。
【図１】
2019016982.tif 000003
【図２】
2019016982.tif 000004
【図３】
2019016982.tif 000005
【図４】
2019016982.tif 000006
【図５】
2019016982.tif 000007
【図６】
2019016982.tif 000008
【図７】
2019016982.tif 000009
【図８】
2019016982.tif 000010
【図９】
2019016982.tif 000011
【図１０】
2019016982.tif 000012
【図１１】
2019016982.tif 000013
【図１２】
2019016982.tif 000014
【図１３】
2019016982.tif 000015
【図１４】
2019016982.tif 000016
【図１５】
2019016982.tif 000017
【図１６】
2019016982.tif 000018
【図１７】
2019016982.tif 000019
【図１８】
2019016982.tif 000020
【図１９】
2019016982.tif 000021
【図２０】
2019016982.tif 000022
【図２１】
2019016982.tif 000023
【図２２】
2019016982.tif 000024
【図２３】
2019016982.tif 000025
【図２４】
2019016982.tif 000026
【図２５】
2019016982.tif 000027
【図２６】
2019016982.tif 000028
【図２７】
2019016982.tif 000029
【図２８】
2019016982.tif 000030
【図２９】
2019016982.tif 000031
【図３０】
2019016982.tif 000032
【図３１】
2019016982.tif 000033
【図３２】
2019016982.tif 000034
【国際調査報告】
2019016982.tif 000035
2019016982.tif 000036
2019016982.tif 000037
2019016982.tif 000038